(57)【要約】【課題】呼吸孔の外部への連通を確保しつつ防水機能を持たせること、及びブラケットにより保持される電動ウォーターポンプの周方向の位置決めの確実化ならびに振動等により周方向への回動を防ぐこと。【解決手段】内部にインペラ１４、これを駆動するモータ３０を備えたポンプボディ２と、このポンプボディの内部と連通し、該ポンプボディ２に形成の呼吸孔２７とを有する電動ウォーターポンプ１において、前記電動ウォーターポンプの呼吸孔にポンプボディから突出してボス部２８を設ける。それから、前記ポンプボディ２に添着される弾性体に、前記呼吸孔２７のボス部２８を覆うカバー４７を突出して形成すると共に、該呼吸孔２７と外部と連通する呼吸通路５０を内側に形成する。この弾性体４５の外側から挾持して前記ポンプボディ２を支えるブラケット７に、前記カバー４７が嵌入される嵌合孔４４を形成する。【選択図】        図１
2008240543.tif 000002
【特許請求の範囲】
【請求項１】
内部に少なくともインペラ、それを駆動する電動モータを備えたポンプボディと、このポンプボディの内部と連通し、該ポンプボディに形成の呼吸孔とを有する電動ウォーターポンプにおいて、
前記電動ウォーターポンプの呼吸孔にポンプボディから突出して設けたボス部と、
前記ポンプボディに添着され、前記呼吸孔のボス部を覆うカバーを突出して形成した弾性体と、
前記ポンプボディと前記弾性体との少なくとも一方に形成した、前記呼吸孔と外部とを連通する呼吸通路とより成ることを特徴とする電動ウォーターポンプ固定装置。
【請求項２】
前記弾性体の外側から挾接して前記ポンプボディを支え、前記カバーが嵌入される嵌合部を形成したブラケットとより成ることを特徴とする請求項１記載の電動ウォーターポンプ固定装置。
【請求項３】
前記呼吸孔のボス部とこれを覆う前記カバーとの間に隙間を有し、前記呼吸通路に連通したことを特徴とする請求項１又は２記載の電動ウォーターポンプ固定装置。
【請求項４】
前記呼吸通路は前記弾性体の内側に一つ又は複数個形成されていることを特徴とする請求項１乃至３のいずれかに記載の電動ウォーターポンプ固定装置。
【請求項５】
前記呼吸孔のボス部は、少なくとも車両固定時に上方又は斜め上方に向けて設けられることを特徴とする請求項１乃至４のいずれかに記載の電動ウォーターポンプ固定装置。
【発明の詳細な説明】
【技術分野】
【０００１】
この発明は、車両に用いられ、エンジンの冷却水を循環させる電動ウォーターポンプの固定装置に関する。
【背景技術】
【０００２】
電動ウォーターポンプを固定する装置として、例えば特許文献１を示すことができる。この例では電動ウォーターポンプの中央に位置する円筒状のカップリング室の外周に、弾性の帯状部材（ゴム状部材）を巻き、さらにその外周にブラケットで包み込むことで保持している。
【特許文献１】特開２００５−２９９６０２
【０００３】
一般に、モータ等を備えたポンプボディを密閉すると、温度変化等で、内部に結露が発生し、その水分がショート等の原因となったり、錆の発生の原因ともなっていた。この対策のため、電動ウォーターポンプにあっては、ポンプボディに外部と連通する呼吸孔を穿設している。
【０００４】
特許文献１にあっては、ポンプボディに通気孔４が形成され、該孔４から雨水等が侵入を防ぐために、前記帯状部材Ｂを利用しているが、外部と連通状態を保つために、該帯状部材Ｂに貫通孔１７と溝状通路１８を形成している。
【０００５】
また、実際に車両に組付られている電動ウォーターポンプの例では、円筒状カップリング室の外周に３ヶ所のボス部を設け、それぞれに弾性部材（グロメット）を取り付けたうえでブラケットに固定している。それから、換気穴はボス形状とし、そこに通気可能とする防水フィルタと防水カバーを設けている。
【発明の開示】
【発明が解決しようとする課題】
【０００６】
前記特許文献１にあっては、ポンプボディに設けられた通気孔４への水の侵入の防止が充分でない。通気孔４はポンプボディの下方に位置しているとともに、溝状通路１８と連通する空気の出入り口２１が近傍に存在している。この空気の出入り口２１から水が浸入してきた場合は、通気孔４の出口周囲が冠水し、外部との連通状態が遮断されるおそれがある。
【０００７】
また、円筒状のポンプボディの上から帯状部材８を介してブラケットＣに支えているため、ポンプボディの周方向の位置決めが難しい。そして組付後は車両の振動による周方向への回転、それによる通気孔４と貫通孔１７、溝状通路１８の連通状態の不具合の発生、さらには、組付作業である通気孔４と貫通孔１７との位置を一致させてからのブラケットＣの固定作業における作業性の繁雑さがあった。また、前記車両に組付られている公知の電動ウォーターポンプの例では、部品点数が多いし、組付の作業性も良くなかった。
【０００８】
そこで、この発明は、電動ウォーターポンプにあって、呼吸孔の外部への連通を確保しつつ防水機能を持たせると共に、周方向の位置決めの確実化のみならず振動などによる周方向への回転を防ぐことを目的とする。
【課題を解決するための手段】
【０００９】
この発明に係る電動ウォーターポンプは、内部に少なくともインペラ、それを駆動する電動モータを備えたポンプボディと、このポンプボディの内部と連通し、該ポンプボディに形成の呼吸孔とを有する電動ウォーターポンプにおいて、前記ポンプボディに添着され、前記呼吸孔のボス部を覆うカバーを突出して形成した弾性体と、前記ポンプボディと前記弾性体との少なくとも一方に形成した、前記呼吸孔と外部とを連通する呼吸通路とより成ることを特徴としている（請求項１）。
【００１０】
これにより、内部の空気と外部とを連通する呼吸孔にボス部があることから、たとえ呼吸通路に水が浸入しても呼吸孔のボス部の高さを乗り越えられず、ポンプボディ内に水が浸入できない。
【００１１】
前記呼吸孔のボス部及びそれを包むカバーを、このポンプボディを支えるブラケットに形成の嵌合部に嵌入することから（請求項２）、周方向の位置の決定の確実化のみならず、振動等による周方向の回転も防がれる。
【００１２】
前記呼吸孔のボス部と、これを覆う前記カバーとの間に隙間を有し、前記呼吸通路に連通したことを特徴としている（請求項３）。これにより、呼吸孔と呼吸通路は確実に連通される。
【００１３】
前記呼吸通路は、前記弾性体の内側に一つ又は複数個形成されていることを特徴としている（請求項４）。また前記呼吸孔のボス部は、少なくとも車両に固定時に、上方又は斜め上方に向けて設けられていることを特徴としている（請求項５）。即ち、ボス部は、車両搭載状態において、水平面より上向きであれば良いことを示している。
【発明の効果】
【００１４】
以上のように、この発明によれば、呼吸孔にボス部があり、カバーで覆うことから、仮に弾性体に形成の呼吸通路に水が浸入したとしても、ボス部の高さを越えることができず、水の浸入を防ぐことができる（請求項１）。
【００１５】
また、呼吸孔のボス部及びそれを覆うカバーがブラケットの嵌合部に嵌入されるため、周方向の位置決めの確実化、振動等による周方向の回転を防ぐことができる（請求項２）。
【００１６】
前記呼吸孔のボス部と、これを覆う前記カバーとの間に隙間を有し、前記呼吸通路に連通していることから、呼吸孔と前記弾性体に形成の呼吸通路とは確実に連通することができる（請求項３）。
【００１７】
前記呼吸孔のボス部は、少なくとも車両への固定時に、上方に向けて設置されるため、該ボス部の突出の利益（高さ）を得ることが可能で、これがあることから水が乗り越えられず、浸入を防ぐことができる。仮に弾性体に形成の呼吸通路に水が浸入したとしても、カバーに水が溜まらず、外部との連通状態が遮断されるのを防ぐこともできる（請求項５）。
【発明を実施するための最良の形態】
【００１８】
以下、この発明を図面にもとづいて説明する。
【００１９】
図１，図２において、電動ウォーターポンプ１の固定装置と分解斜視図が示されている。まず、電動ウォーターポンプ１の概略を説明すると、ポンプボディ２は細長い円筒状部材で、大別して３つの部材であるポンプ部３と、カップリング部４及びモータ部５より成っている。そして、ブラケット７により固定され、図示しない車両に取付られている。
【００２０】
ポンプ部３は、図３を加えて説明すると、円筒状をなし、吸入口９と排出口１０が形成され、また反吸入口側に分離支持体１２が全面に形成され、密閉したポンプ室１３が形成されている。
【００２１】
このポンプ室１３内には、インペラ１４が配され、一端に前記分離支持体１２に支えられている。このインペラ１４は、下記する電動モータ３０により回転されるもので、回転軸１５に従動マグネット１７が取付られている。この従動マグネット１７により、下記するモータ３０から回転力が伝えられ、前記インペラ１４が回転され、エンジンの冷却水を吸入口９から吸込み、加圧し排出口１０より流出させている。
【００２２】
カップリング部４は、円筒状の部材１８で、一面を前記ポンプ部３の分離支持体１２により区切られ、他面は、分離壁体１９が配され、密閉のカップリング室２０が形成されている。このカップリング室２０内には、駆動マグネット２２が円筒状に配され、保持部２３を介して支えられ、下記する電動モータ３０の駆動軸３３に固定されている。
【００２３】
この駆動マグネット２２は、前記した従動マグネット１７と分離支持体１２を介して対峙しており、回転するとトルクが伝達され、インペラ１４を回転させることができる。この駆動マグネット２２が配されるカップリング室２０は、前記分離壁体１９に通孔２５が穿設され、下記するモータ室３１と連通している。また、カップリング部４の円筒状の部材１８の径方向に呼吸孔２７が穿設され、外方に突出するボス部２８を持っている。なおカップリング部４は前記ポンプ部３にねじ２９にて取付られている。
【００２４】
モータ部５は、円筒状を成し、内部に電動モータ３０が配されるモータ室３１となっている。このモータ室３１は、その一面を構成する前記カップリング部４の分離壁体１９により区画されているが、前記通孔２５により連通されている。モータ室３１内の電動モータ３０は、その駆動軸３３が前記分離壁体１９を貫通していて、その貫通部位に前記保持部２３を固定している。なお、モータ部５は前記カップリング部４に図示しないねじにて取付られている。
【００２５】
上述のように電動ウォーターポンプ１が構成されているが、ブラケット７との固定は、下記するように行われる。まず、ブラケット７は、図１乃至図４にもとづいて説明すると、基体部７ａと蓋部７ｂとより成り、前記基体部７ａは係止片３７ａを持つ半円弧部３７と、孔３８ａを有する重合部３８と、車両に固定する孔３９ａを有する固定部３９とより成っている。
【００２６】
そして、前記蓋部７ｂは、半円弧部４１と、その左右に重合部４２，４３と、半円弧部４７の頂上に形成の嵌合孔４４とより成り、前記重合部４２には、図示しないが係合孔が、他方の重合部４３には、孔４３ａが形成されている。それから、嵌合孔４４の内径は、下記するカバー４７の外径と等しいか少し大きくなっている。
【００２７】
このようなブラケット７にて電動ウォーターポンプ１を支えるためには、ゴム等より作られる弾性体４５を介して取付られている。即ち、弾性体４５は、２つの円弧状部材４５ａ，４５ｂとより成っており、一方の円弧状部材４５ａには、径方向に突設するカバー４７が形成されている。このカバー４７は円筒状で、前記した呼吸孔２７のボス部２８の径よりも大きい内径を有し、前記ボス部２８に被嵌した時に周囲に隙間４８が生じるように構成されている。
【００２８】
また、円弧状部材４５ａの内側に前記カバー４７と連通し、外部と連通する呼吸通路５０が形成されている。この呼吸通路５０は、前記隙間４８を介して前記呼吸孔２７に連通し、ポンプボディ２内のカップリング室２０とモータ室３１と連通している。これにて、カップリング室２０とモータ室３１とは外気と連通し、内部にて結露が発生することが防がれる。なお、呼吸通路５０は複数本形成しても良く、また格子状など迷路状にしても良い。他方の弾性体４５の円弧状部材４５ｂは、単なる円弧となっているだけである。なお、円弧状部材４５ａの形状をカップ部もしくはモータ部の外周に沿って適宜に設計し、円弧状部４ｂを省いても良い。
【００２９】
このような弾性体４５の円弧状部材４５ａ，４５ｂを前記ポンプボディ２のカップリング部４に添着するが、カバー４７を前記呼吸孔２７のボス部２８に被嵌する。それから、ブラケット７の基体部７ａと蓋部７ｂを添着する。その際に蓋部７ｂの嵌合孔４４を前記カバー４７に被嵌する。そして、ねじ５２により、基体部７ａと蓋部７ｂとが結合され、ブラケット７により電動ウォーターポンプ１が支持される。
【００３０】
このように、ブラケット７により電動ウォーターポンプ１が支持されると、カバー４７が嵌合孔４４にて固定され、周方向の位置決めならず、振動などから周方向の回転することも防がれる。それから、ポンプボディ２内部は、呼吸孔２７と、隙間４８と、呼吸通路５０を介して外部と連通されることになり、ポンプボディ２内部に結露が生じなくなる。仮に振動が与えられても、カバー４７と嵌合孔４４とが係止状態にあり、回転せずに呼吸手段の連通状態が遮断されることはない。
【００３１】
以上説明したように、呼吸孔２７にボス部２８があることから、仮に弾性体４５に形成の呼吸通路５０に水が侵入しても、ボス部２８の高さを越えることができず、水がポンプボディ２内への浸入を防ぐことができる。
【００３２】
なお、前記ポンプボディ２のカップリング部４に突設の呼吸孔２７のボス部２８は、組付時上方に向けて設置されているが、斜め上方に向けて設置するようにしても充分に水の浸入を防ぐ効果を有する。
【図面の簡単な説明】
【００３３】
【図１】この発明の実施例を示し、電動ウォーターポンプ固定装置の斜視図である。
【図２】同上の電動ウォーターポンプ固定装置の分解斜視図である。
【図３】同上の電動ウォーターポンプ固定装置により固定された状態時の電動ウォーターポンプの拡大断面図である。
【図４】ポンプボディに突設の呼吸孔のボス部と、これを包む弾性体のカバーと、ブラケットの嵌合孔との関係を示す要部の拡大断面図である。
【符号の説明】
【００３４】
１    電動ウォーターポンプ
２    ポンプボディ
３    ポンプ部
４    カップリング部
５    モータ部
７    ブラケット
１３  ポンプ室
１４  インペラ
１５  回転軸
１８  円筒状の部材
２０  カップリング室
２５  通孔
２７  呼吸孔
２８  ボス部
３０  電動モータ
３１  モータ室
３７  半円弧部
４１  半円弧部
４４  嵌合孔
４５  弾性体
４７  カバー
４８  隙間
５０  呼吸通路
【図１】
2008240543.tif 000003
【図２】
2008240543.tif 000004
【図３】
2008240543.tif 000005
【図４】
2008240543.tif 000006